(57)【要約】【課題】ユーザにほとんど煩わしさを感じさせることなく状態を切換える。【解決手段】防犯システムは、センサ１４と、送信機１２と、防犯装置１０とを含む。送信機１２は、インターフェイス６０と、設定部６２と、無線通信部６６と、制御部６４とを含む。インターフェイス６０は、センサ１４が第１の情報を入力する。設定部６２は、操作により第２の情報を入力する。制御部６４は、第１の情報および第２の情報を送信するように、無線通信部６６を制御する。防犯装置１０は、無線通信部３０と、リアルタイムクロック３６と、スピーカ４２と、システム制御部４４とを含む。リアルタイムクロック３６は、時刻を特定する。スピーカ４２は、情報を出力する。システム制御部４４は、第１の情報が要件を満たすか否かを判断し、要件が満たされていると判断した場合、第３の情報を出力するようにスピーカ４２を制御する。【選択図】図１
2008009902.tif 000002
【特許請求の範囲】
【請求項１】
センサと、第１の装置と、第２の装置とを含む防犯システムであって、
前記センサは、
物理量の変化を検知するための検知手段と、
前記検知手段が検知した前記物理量の変化に対応する情報である第１の情報を出力するための出力手段とを含み、
前記第１の装置は、
前記第１の情報を入力するための第１の入力手段と、
操作により第２の情報を入力するための第２の入力手段と、
前記第２の装置と通信するための通信手段と、
前記通信手段を制御するための制御手段とを含み、
前記第１の装置の制御手段は、
前記第２の情報が入力されると、前記第２の情報を送信するように、前記通信手段を制御するための第１の手段と、
前記第１の情報が入力されると、前記第１の情報を送信するように、前記通信手段を制御するための第２の手段とを含み、
前記第２の装置は、
通信するための通信手段と、
時刻を特定するための特定手段と、
情報を出力するための出力手段と、
前記出力手段を制御するための制御手段とを含み、
前記第２の装置の制御手段は、
前記第２の情報を前記通信手段が受信した時に対応する期間に前記通信手段が受信した前記第１の情報が要件を満たすか否かを判断するための判断手段と、
前記第２の情報を前記通信手段が受信した時に対応する期間に前記通信手段が受信した前記第１の情報が要件を満たすと前記判断手段が判断した場合、第３の情報を出力するように前記出力手段を制御するための第１の手段とを含む、防犯システム。
【請求項２】
前記第１の装置の第２の入力手段は、前記第２の情報の一種であって、互いに異なる前記操作にそれぞれ対応する情報である、第４の情報と第５の情報とを入力するための手段を含み、
前記第２の装置の前記第１の手段は、前記第４の情報を前記通信手段が受信した時以降に開始し前記第５の情報を前記通信手段が受信した時までに終了する少なくとも１つの前記期間のうちいずれかの期間に前記通信手段が受信した前記第１の情報が前記要件を満たす場合、前記第３の情報を出力するように前記出力手段を制御するための手段を含む、請求項１に記載の防犯システム。
【請求項３】
前記第３の情報を出力するように前記出力手段を制御するための手段は、前記第４の情報を前記通信手段が受信した時以降に経過した時間が閾値を越えた時から前記第４の情報を前記通信手段が再度受信した時である第１の時刻までの期間と前記第１の時刻の後である第２の時刻から前記第５の情報を前記通信手段が受信した時までの期間とのうち少なくとも一方の期間に前記通信手段が受信した前記第１の情報が前記要件を満たす場合、前記第３の情報を出力するように前記出力手段を制御するための手段を含む、請求項２に記載の防犯システム。
【請求項４】
前記第３の情報を出力するように前記出力手段を制御するための手段は、前記第４の情報を前記通信手段が受信した時以降に経過した時間が閾値を越えた時から前記第５の情報を前記通信手段が受信した時までの期間に前記通信手段が受信した前記第１の情報が前記要件を満たす場合、前記第３の情報を出力するように前記出力手段を制御するための手段を含む、請求項２に記載の防犯システム。
【請求項５】
前記第２の装置の制御手段は、前記第２の情報を前記通信手段が受信すると、前記第１の装置に対して第６の情報を送信するように前記通信手段を制御するための第２の手段をさらに含み、
前記第１の装置は、情報を出力するための出力手段をさらに含み、
前記第１の装置の制御手段は、前記通信手段が前記第６の情報を受信すると、前記第６の情報を出力するように、前記出力手段を制御するための第３の手段をさらに含む、請求項１に記載の防犯システム。
【請求項６】
前記第１の装置の前記第２の入力手段は、前記第２の情報の一種であって、互いに異なる前記操作にそれぞれ対応する情報である、第４の情報と第５の情報とを入力するための手段を含み、
前記第２の装置の前記第１の手段は、前記第４の情報を前記通信手段が受信した時以降に経過した時間が閾値を越えた時から前記第４の情報を前記通信手段が再度受信した時である第１の時刻までの期間と前記第１の時刻の後である第２の時刻から前記第５の情報を前記通信手段が受信した時までの期間とのうち少なくとも一方の期間に前記通信手段が受信した前記第１の情報が前記要件を満たす場合、前記第３の情報を出力するように前記出力手段を制御するための手段を含み、
前記第２の装置の制御手段は、
前記第４の情報を前記通信手段が受信すると、前記第１の装置に対して第６の情報を送信するように前記通信手段を制御するための第３の手段と、
前記第１の時刻から前記第２の時刻までの期間に、前記第１の装置に対して第７の情報を送信するように前記通信手段を制御するための第４の手段と、
前記第２の時刻に、前記第１の装置に対して前記第６の情報を送信するように前記通信手段を制御するための第５の手段とをさらに含み、
前記第１の装置は、情報を出力するための出力手段をさらに含み、
前記第１の装置の制御手段は、前記第６の情報および第７の情報のうち、前記通信手段が受信した情報を出力するように、前記出力手段を制御するための第４の手段をさらに含む、請求項１に記載の防犯システム。
【請求項７】
前記第１の装置は、第８の情報を予め記憶するための記憶手段をさらに含み、
前記第１の装置の第１の手段は、前記第２の情報が入力されると、前記第８の情報の内容が要件を満たす場合に、前記第２の情報を送信するように、前記通信手段を制御するための手段を含む、請求項１に記載の防犯システム。
【発明の詳細な説明】
【技術分野】
【０００１】
本発明は、防犯システムに関し、特に、夜盗、泥棒または侵入者に対する防犯システムに関する。
【背景技術】
【０００２】
特許文献１は、複数戸または一戸建て住戸に設けられる防犯システムにおける監視動作として、設定されると直ちに監視状態に入る在宅モードと、設定されてから所定時間が経過後に監視状態に入る監視モードとの２種類を設け、在宅モードと監視モードのいずれかを選択して監視状態の設定を行う設定装置と、設定された在宅モードまたは監視モードの監視状態を解除する解除装置とを備えた防犯システムを開示する。
【０００３】
特許文献１に開示された発明によると、在宅中のユーザが就寝前に防犯モードを設定する際に、従来のように所定の遅延時間が経過するまで待たなくとも、直ちに監視状態に入ったことを確認できる。
【特許文献１】特開２０００−１３２７６５号公報
【発明の開示】
【発明が解決しようとする課題】
【０００４】
しかし、特許文献１に開示された発明では、在宅モードその他のモードの切換えが煩わしいという問題点がある。以下、この問題点を具体的に説明する。
【０００５】
特許文献１に開示された発明その他の防犯システムにおいて、在宅モードにしたり監視モードにしたりするためのスイッチは防犯装置側に設けられている。そのため、監視モードにセットされてから所定時間が経過するまでに玄関などの出入り口からユーザは出なければならなかった。そうしなければ防犯システムがそのユーザを侵入者として検知するためである。ユーザが帰宅した時にも、出入り口などを開けてから所定時間が経過するまでに防犯装置の傍に行ってユーザは監視モードを解除しなければならなかった。在宅モードと監視モードとに加え、ユーザが在宅している間の侵入の有無を監視するモードがあり、かつそのモードに設定されている場合、ユーザが外出する際や一時的に窓を開閉する際には、一旦そのモードを解除し、監視モードを設定する必要がある。この場合にも同様の煩わしさがある。ユーザにとって在宅モードその他のモードの切換えは毎日のことである。その切換えが毎日のことなので、切換えが煩わしくないことは防犯システムに強く望まれることである。
【０００６】
在宅モードその他のモードの切換えをリモートコントローラにより実施する設備もある。この設備が設置されている場合、リモートコントローラをユーザは外出時に持ち運ばなければならない。また、この設備は、ユーザの人数分のリモートコントローラを必要とする。これらはいずれも大変煩わしいことである。
【０００７】
本発明は上述の問題点を解決するためになされたものであって、その目的は、ユーザにほとんど煩わしさを感じさせることなく監視するか否かの状態の切換えができる防犯システムを提供することにある。
【課題を解決するための手段】
【０００８】
上記目的を達成するために、本発明のある局面にしたがうと、防犯システムは、センサと、第１の装置と、第２の装置とを含む。センサは、検知手段と、出力手段とを含む。検知手段は、物理量の変化を検知する。出力手段は、検知手段が検知した物理量の変化に対応する情報である第１の情報を出力する。第１の装置は、第１の入力手段と、第２の入力手段と、通信手段と、制御手段とを含む。第１の入力手段は、第１の情報を入力する。第２の入力手段は、操作により第２の情報を入力する。通信手段は、第２の装置と通信する。制御手段は、通信手段を制御する。第１の装置の制御手段は、第１の手段と、第２の手段とを含む。第１の手段は、第２の情報が入力されると、第２の情報を送信するように、通信手段を制御する。第２の手段は、第１の情報が入力されると、第１の情報を送信するように、通信手段を制御する。第２の装置は、通信手段と、特定手段と、出力手段と、制御手段とを含む。通信手段は、通信する。特定手段は、時刻を特定する。出力手段は、情報を出力する。制御手段は、出力手段を制御する。第２の装置の制御手段は、判断手段と、第１の手段とを含む。判断手段は、第２の情報を通信手段が受信した時に対応する期間に通信手段が受信した第１の情報が要件を満たすか否かを判断する。第１の手段は、第２の情報を通信手段が受信した時に対応する期間に通信手段が受信した第１の情報が要件を満たすと判断手段が判断した場合、第３の情報を出力するように出力手段を制御する。
【０００９】
また、上述した第１の装置の第２の入力手段は、第２の情報の一種であって、互いに異なる操作にそれぞれ対応する情報である、第４の情報と第５の情報とを入力するための手段を含むことが望ましい。併せて、第２の装置の第１の手段は、第４の情報を通信手段が受信した時以降に開始し第５の情報を通信手段が受信した時までに終了する少なくとも１つの期間のうちいずれかの期間に通信手段が受信した第１の情報が要件を満たす場合、第３の情報を出力するように出力手段を制御するための手段を含むことが望ましい。
【００１０】
もしくは、上述した第３の情報を出力するように出力手段を制御するための手段は、第４の情報を通信手段が受信した時以降に経過した時間が閾値を越えた時から第４の情報を通信手段が再度受信した時である第１の時刻までの期間と第１の時刻の後である第２の時刻から第５の情報を通信手段が受信した時までの期間とのうち少なくとも一方の期間に通信手段が受信した第１の情報が要件を満たす場合、第３の情報を出力するように出力手段を制御するための手段を含むことが望ましい。
【００１１】
もしくは、上述した第３の情報を出力するように出力手段を制御するための手段は、第４の情報を通信手段が受信した時以降に経過した時間が閾値を越えた時から第５の情報を通信手段が受信した時までの期間に通信手段が受信した第１の情報が要件を満たす場合、第３の情報を出力するように出力手段を制御するための手段を含むことが望ましい。
【００１２】
また、上述した第２の装置の制御手段は、第２の情報を通信手段が受信すると、第１の装置に対して第６の情報を送信するように通信手段を制御するための第２の手段をさらに含むことが望ましい。併せて、第１の装置は、情報を出力するための出力手段をさらに含むことが望ましい。併せて、第１の装置の制御手段は、通信手段が第６の情報を受信すると、第６の情報を出力するように、出力手段を制御するための第３の手段をさらに含むことが望ましい。
【００１３】
また、上述した第１の装置の第２の入力手段は、第２の情報の一種であって、互いに異なる操作にそれぞれ対応する情報である、第４の情報と第５の情報とを入力するための手段を含むことが望ましい。併せて、第２の装置の第１の手段は、第４の情報を通信手段が受信した時以降に経過した時間が閾値を越えた時から第４の情報を通信手段が再度受信した時である第１の時刻までの期間と第１の時刻の後である第２の時刻から第５の情報を通信手段が受信した時までの期間とのうち少なくとも一方の期間に通信手段が受信した第１の情報が要件を満たす場合、第３の情報を出力するように出力手段を制御するための手段を含むことが望ましい。併せて、第２の装置の制御手段は、第３の手段と、第４の手段と、第５の手段とをさらに含むことが望ましい。第３の手段は、第４の情報を通信手段が受信すると、第１の装置に対して第６の情報を送信するように通信手段を制御する。第４の手段は、第１の時刻から第２の時刻までの期間に、第１の装置に対して第７の情報を送信するように通信手段を制御する。第５の手段は、第２の時刻に、第１の装置に対して第６の情報を送信するように通信手段を制御する。併せて、第１の装置は、情報を出力するための出力手段をさらに含むことが望ましい。併せて、第１の装置の制御手段は、第６の情報および第７の情報のうち、通信手段が受信した情報を出力するように、出力手段を制御するための第４の手段をさらに含むことが望ましい。
【００１４】
また、上述した第１の装置は、第８の情報を予め記憶するための記憶手段をさらに含むことが望ましい。併せて、第１の装置の第１の手段は、第２の情報が入力されると、第８の情報の内容が要件を満たす場合に、第２の情報を送信するように、通信手段を制御するための手段を含むことが望ましい。
【発明の効果】
【００１５】
本発明に係る防犯システムは、ユーザにほとんど煩わしさを感じさせることなく監視するか否かの状態の切換えができる。
【発明を実施するための最良の形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
図１は、本実施の形態に係る防犯システムの構成を表わす図である。図１を参照して、本実施の形態に係る防犯システムは、防犯装置１０と、送信機１２と、センサ１４と、外部機器１８に接続された仲介装置１６と、通信網２０、ＩＳＰ（Internet Service Provider）サーバ２２、およびインターネット網２４を介して防犯装置１０に接続された通信端末２６とを含む。
【００１８】
防犯装置１０は、送信機１２が送信した信号に基づき仲介装置１６を介して外部機器１８を制御する防犯装置である。防犯装置１０は、通信端末２６との間で通信する装置でもある。送信機１２は、窓や玄関に取付けられたセンサ１４が検知した侵入の有無についての情報を信号により防犯装置１０に送信する。本来、防犯装置１０と送信機１２との間の通信は、無線通信であっても有線通信であってもよいが、本実施の形態の場合、送信機１２は、防犯装置１０との間で無線通信する。センサ１４は、侵入の発生を検出する装置である。仲介装置１６は、外部機器１８を制御する装置である。通信端末２６は、防犯装置１０を制御する端末である。防犯装置１０が制御されることにより、照明器具、ベル、回転灯などの外部機器１８が制御される。通信端末２６は、ユーザによる操作にしたがって防犯装置１０を制御する。通信端末２６は、侵入者があった場合、インターネット網２４を介して防犯装置１０から侵入異常があった旨のメール通知を受信する端末でもある。本実施の形態の場合、通信端末２６は、インターネット網２４に接続可能な携帯電話、携帯情報端末、パーソナルコンピュータなどである。
【００１９】
防犯装置１０は、無線通信部３０と、インターネット通信部３２と、インターフェイス３４と、リアルタイムクロック３６と、設定部３８と、スピーカ４２と、システム制御部４４と、記憶部４６とを含む。無線通信部３０は、送信機１２および仲介装置１６との間で双方向の通信を行う装置である。無線通信部３０は、送信機１２および仲介装置１６との間で各種の信号を通信する。無線通信部３０は、送信機１２および仲介装置１６との間で無線ＬＡＮ（Local Area Network）を構築する。無線通信部３０の通信規格は特に限定されない。ＩＥＥＥ（the Institute of Electrical and Electronic Engineers）８０２．１１ｂ、Ｂｌｕｅｔｏｏｔｈ（登録商標）、およびＩｒＤＡ（Infrared Data Association）はそれぞれ無線通信部３０の通信に利用できる規格の一種である（本実施の形態の場合、通信規格はＩＥＥＥ８０２．１１ｂに準拠することとする）。インターネット通信部３２は、通信網２０、ＩＳＰサーバ２２、インターネット網２４を介して通信端末２６と通信する装置である。インターネット通信部３２が出力したデータは、通信網２０を介してＩＳＰサーバ２２に入力される。ＩＳＰサーバ２２は、自らに入力されたデータをインターネット網２４に出力する。インターネット網２４（実際にはインターネット網２４を形成するサーバおよび通信ケーブル）は、ＩＳＰサーバ２２が出力したデータを通信端末２６へ導く。通信端末２６からインターネット通信部３２へ情報を送信する場合、上述の手順とは逆の手順でデータが導かれる。インターフェイス３４は、図示しないコンピュータから制御用の情報を受付ける。リアルタイムクロック３６は、時刻を特定する回路である。本実施の形態の場合、リアルタイムクロック３６は、「午後１２時３０分２５秒」などといった形式で時刻を特定する。ただし、本実施の形態の場合、「時刻」とは、ある時を特定できるのものであれば、「午後１２時３０分２５秒」などといった形式に則ったものでなくてもよい。たとえば、「時刻」は、一定の周期で信号が生成された回数や、防犯装置１０の電源が投入された時を起点とする経過時間として表わされるものであってもよい。設定部３８は、送信機１２や仲介装置１６の設定を行う装置である。スピーカ４２は、警報音や音声メッセージとして、情報を出力する装置である。システム制御部４４は、防犯装置１０を構成する回路や装置を制御する回路である。記憶部４６は、後述する玄関の開閉状態を表わすデータや、後述する窓の開閉状態を表わすデータや、外部機器１８を制御するための情報や、後述する監視スイッチ５０および解除スイッチ５２が操作された回数を表わすデータや、システム制御部４４が実行するプログラムなどを記憶する装置である。本実施の形態の場合、記憶部４６は、ＲＯＭ（Read Only Memory）やＲＡＭ（Random Access Memory）などのメモリから成る。
【００２０】
送信機１２は、インターフェイス６０と、設定部６２と、制御部６４と、無線通信部６６と、表示部６８とを含む。インターフェイス６０は、センサ１４に接続され、センサ１４が情報を表わす信号を入力する装置である。設定部６２は、ユーザが操作により情報を入力するための装置である。制御部６４は、送信機１２の各部を制御する回路である。無線通信部６６は、防犯装置１０との間で無線通信する装置である。表示部６８は、本実施の形態に係る防犯システムが在宅モードその他のモードのうちどのモードにあるかを表わす情報を出力する装置である。
【００２１】
設定部６２は、監視スイッチ５０と、解除スイッチ５２と、ディップスイッチ５４とを含む。監視スイッチ５０は、防犯システムを監視モードにする際と監視モードを一時的に在宅モードに変更する際とに、ユーザが操作するスイッチである。解除スイッチ５２は、防犯システムを在宅モードにする際に、ユーザが操作するスイッチである。本実施の形態の場合、監視スイッチ５０と解除スイッチ５２とは、１組のテンキーであるかのように構成される。監視スイッチ５０として機能するキーと、解除スイッチ５２として機能するキーとは、まったく別のキーである。これにより、監視スイッチ５０が操作されたことを表わす情報と、解除スイッチ５２が操作されたことを表わす情報とは、互いに異なる操作にそれぞれ対応することとなる。監視スイッチ５０と解除スイッチ５２とがこのように構成されているのは、空き巣などの被害を未然に防止するためである。ディップスイッチ５４は、センサ１４が出力した情報を送信機１２が送信する回数の情報と、監視スイッチ５０と解除スイッチ５２とに対する操作を有効にするか否かの情報とをユーザが入力するスイッチである。ディップスイッチ５４は、センサ１４が出力した情報を送信機１２が送信する回数の情報と、監視スイッチ５０と解除スイッチ５２とに対する操作を有効にするか否かの情報とを予め記憶する装置としても動作する。
【００２２】
制御部６４は、図示しないバッファを含む。このバッファは、制御部６４が送信機１２の各部を制御するために必要な情報を記憶する。その情報の一種には、図示しない表示ランプが点灯しているか否かを表わす情報が含まれる。この表示ランプは、表示部６８の一部である。
【００２３】
センサ１４は、検知部８０と、インターフェイス８２とを含む。検知部８０は、物理量の変化を検知する素子である。たとえば、本実施の形態において窓枠に取付けられたセンサ１４の場合、検知部８０は、窓に取付けられたマグネットの影響で生じた磁場の変化を検知する。インターフェイス８２は、検知部８０が検知した物理量の変化に対応する情報を送信機１２に出力する装置である。たとえば、本実施の形態の場合、磁場が強くなることを検知部８０が検知した場合、インターフェイス８２はその場合に出力するように予め定められている信号を送信機１２に出力する。本実施の形態の場合、物理量の変化に対応する情報は、侵入の有無を表わす情報として取り扱われる。
【００２４】
仲介装置１６は、接続部７０と、制御部７２と、記憶部７４と、無線通信部７６とを含む。接続部７０は、外部機器１８に接続され、外部機器１８に対し、外部機器１８を制御するための信号を出力する装置である。制御部７２は、本実施の形態に係る仲介装置１６の各部を制御する回路である。記憶部７４は、外部機器１８の状態を表わす情報や外部機器１８を制御するための情報などを記憶する装置である。本実施の形態の場合、記憶部７４は、ＲＯＭなどのメモリによって構成される。無線通信部７６は、防犯装置１０との間で双方向の無線通信を実施する装置である。
【００２５】
図２は、本実施の形態に係る防犯システムが配置された家屋を表わす図である。図２において、防犯装置１０は屋内に配置されている。図２において、照明器具および回転灯が外部機器１８に該当する。また、本実施の形態の場合、図示しないベルも外部機器１８として仲介装置１６に接続されていることとする。窓が開くと、センサ１４は、窓が開いたことを検出する。玄関のドアが開くと、玄関に取付けられたセンサ１４は、窓に取付けられたセンサ１４と同じ原理で、玄関が開いたことを検出する。防犯装置１０が制御信号を送信すると、仲介装置１６は、オンしたりオフしたりするための信号を上述した照明器具や回転灯やベルに出力する。
【００２６】
図３を参照して、本実施の形態に係る防犯システムで実行されるプログラムは、監視モードの設定に関し、以下のような制御を実行する。
【００２７】
ステップＳ１００にて、送信機１２の制御部６４は、監視スイッチ５０と解除スイッチ５２とに対する操作を有効にするようにディップスイッチ５４が設定され、かつ監視スイッチ５０が押されたか否かを判断する。監視スイッチ５０と解除スイッチ５２とに対する操作を有効にするようにディップスイッチ５４が設定され、かつ監視スイッチ５０が押されたと判断した場合（ステップＳ１００にてＹＥＳ）、処理はステップＳ１０２へと移される。もしそうでないと（ステップＳ１００にてＮＯ）、処理はステップＳ１００へと戻される。
【００２８】
ステップＳ１０２にて、ステップＳ１００の処理を経た送信機１２の制御部６４は、自らが内蔵するバッファに、監視スイッチ５０が押されたことを表わす情報を記憶させる。すべての送信機１２の制御部６４は、自らが内蔵するバッファに記憶された情報に基づいて、表示部６８の表示ランプが消灯しているか否かを判断する。本実施の形態において、この表示ランプが消灯していることは、防犯システムが在宅モードになっていることを意味する。表示ランプが消灯していると判断した場合（ステップＳ１０２にてＹＥＳ）、処理はステップＳ１０４へと移される。もしそうでないと（ステップＳ１０２にてＮＯ）、処理はステップＳ１１０へと移される。
【００２９】
ステップＳ１０４にて、ステップＳ１０２の処理を経た送信機１２の無線通信部６６は、制御部６４の制御に従い、監視スイッチ５０が押されたことを表わす信号を防犯装置１０の無線通信部３０に送信する。
【００３０】
ステップＳ１０６にて、防犯装置１０のシステム制御部４４は、記憶部４６を参照して、図２に示した玄関の開閉状態を表わすデータや、図２に示した窓の開閉状態を表わすデータが、すべて閉じていることを表わすデータとなっているか否かを判断する。それらがすべて閉じていることを表わすデータになっていると判断した場合（ステップＳ１０６にてＹＥＳ）、処理はステップＳ１０８へと移される。もしそうでないと（ステップＳ１０６にてＮＯ）、処理はステップＳ１００へと移される。これにより、窓が開いておれば表示部６８の表示ランプが点滅しないので、防犯システムが監視モードになっていないことをユーザは知る。
【００３１】
ステップＳ１０８にて、無線通信部３０は、システム制御部４４の制御に従い、すべての送信機１２へ監視モードになったことを表わす信号を送信する。その信号を無線通信部６６が受信すると、すべての送信機１２の制御部６４は、自らが内蔵するバッファに記憶された情報に、監視スイッチ５０が押されたことを表わす情報が記憶されているか否かを判断する。その情報が記憶されていると判断した場合、制御部６４は、その情報を削除し、防犯システムが監視モードになったことを表わす情報を記憶させる。その後、制御部６４は、表示部６８の表示ランプを所定の期間点滅させる。所定の期間が経過した後、制御部６４により、表示ランプは点滅した状態から点灯した状態に切替えられる。これにより、防犯システムが監視モードになったことをユーザは知る。ユーザは、表示ランプが点滅している間に外出できる。監視スイッチ５０が押されたことを表わす情報が記憶されていないと制御部６４が判断した場合、制御部６４は、防犯システムが監視モードになったことを表わす情報を記憶させる。併せて、制御部６４は、表示部６８の表示ランプを点灯させる。この場合、表示ランプは点滅しない。これらにより、監視モードになったことを表わす情報が、表示部６８によって出力されたことになる。
【００３２】
ステップＳ１１０にて、ステップＳ１０２の処理を経た送信機１２の無線通信部６６は、制御部６４の制御により、監視スイッチ５０が押されたことを防犯装置１０に送信する。
【００３３】
ステップＳ１１２にて、防犯装置１０の無線通信部３０は、システム制御部４４の制御により、防犯システムが監視モードから在宅モードに一時的に変化したことを表わす信号をすべての送信機１２に送信する。この信号は、ステップＳ１１０において送信された信号が防犯装置１０の無線通信部３０によって受信され、かつシステム制御部４４に出力された後の、なるべく早い時期に送信されることが望ましい。ただし、この信号は、ステップＳ１１０において送信された信号が防犯装置１０の無線通信部３０によって受信された時刻から、防犯システムが一時的に在宅モードに変化する期間が終了する時刻までに送信されればよい。その信号が無線通信部６６によって受信されると、すべての送信機１２の制御部６４は、所定の期間、表示部６８の表示ランプを点滅させる。表示ランプが点滅することにより、防犯システムが監視モードから在宅モードに変化したことを表わす情報が、表示部６８によって出力されたことになる。この間、扉や窓が開閉されても防犯装置１０は警報を発しない。制御部６４のバッファに記憶された情報は変更されない。上述した「防犯システムが一時的に在宅モードに変化する期間が終了する時刻」が到来すると、防犯装置１０の無線通信部３０は、システム制御部４４の制御により、防犯システムが在宅モードから監視モードに変化したことを表わす信号をすべての送信機１２に送信する。その信号が無線通信部６６によって受信されると、すべての送信機１２の制御部６４は、表示部６８の表示ランプの状態を点滅状態から点灯状態に切換える。表示ランプが点灯状態に切換えられたことにより、防犯システムが在宅モードから監視モードに変化したことを表わす情報が、表示部６８によって出力されたことになる。これと同時に、防犯装置１０は玄関の扉や窓の開閉の監視を再開する。
【００３４】
図４を参照して、本実施の形態に係る防犯システムで実行されるプログラムは、監視モードの解除に関し、以下のような制御を実行する。
【００３５】
ステップＳ２００にて、送信機１２の制御部６４は、監視スイッチ５０と解除スイッチ５２とに対する操作を有効にするようにディップスイッチ５４が設定され、かつ解除スイッチ５２が操作されたか否かを判断する。監視スイッチ５０と解除スイッチ５２とに対する操作を有効にするようにディップスイッチ５４が設定され、かつ解除スイッチ５２が操作されたと判断した場合（ステップＳ２００にてＹＥＳ）、処理はステップＳ２０２へと移される。もしそうでないと（ステップＳ２００にてＮＯ）、処理はステップＳ２００へと戻される。ちなみに、本実施の形態の場合、玄関などの出入りする扉に設置された送信機１２は、監視モードであっても、扉が開けられた後のある時間内は、侵入があったことを表す信号を送信しない。
【００３６】
ステップＳ２０２にて、ステップＳ２００の処理を経た送信機１２の制御部６４は、自らが内蔵するバッファに記憶された情報に基づいて、表示部６８の表示ランプが点灯しているか否かを判断する。本実施の形態において、この表示ランプが点灯していることは、防犯システムが監視モードになっていることを意味する。表示ランプが点灯していると判断した場合（ステップＳ２０２にてＹＥＳ）、処理はステップＳ２０４へと移される。もしそうでないと（ステップＳ２０２にてＮＯ）、処理はステップＳ２００へと移される。
【００３７】
ステップＳ２０４にて、無線通信部６６は、制御部６４の制御に従い、解除スイッチ５２が押されたことを表わす信号を防犯装置１０の無線通信部３０に送信する。無線通信部３０は、システム制御部４４の制御に従い、すべての送信機１２へ在宅モードになったことを表わす信号を送信する。
【００３８】
ステップＳ２０６にて、すべての送信機１２の無線通信部６６は、在宅モードになったことを表わす信号を防犯装置１０の無線通信部３０から受信する。その信号が受信されると、無線通信部６６は、信号の形式を変換した上で、その信号を制御部６４に出力する。制御部６４は、表示ランプを消灯するよう表示部６８を制御する。これにより、在宅モードになったことを表わす情報が、表示部６８によって出力されたことになる。ユーザは、本実施の形態に係る防犯システムが在宅モードになったことを知る。あわせて、すべての制御部６４は、自らが内蔵するバッファに記憶された、防犯システムが監視モードになったことを表わす情報を削除し、防犯システムが在宅モードになったことを表わす情報をそのバッファに記憶させる。
【００３９】
図５を参照して、本実施の形態に係る防犯システムで実行されるプログラムは、侵入に対する対策に関し、以下のような制御を実行する。本実施の形態において、図５に示す処理は、防犯システムが監視モードにある期間に実施される処理である。図３および図４に示した処理から明らかなように、本実施の形態において防犯システムが監視モードにある期間とは、次に述べる２つの期間を意味する。その第１の期間は、監視スイッチ５０が押されたことを表わす信号を防犯装置１０の無線通信部３０が受信し、その後に経過した時間が閾値を越えた時から、監視スイッチ５０が押されたことを表わす情報を信号として無線通信部３０が再度受信した時までの期間である。なお、この「閾値」は、ステップＳ１０８において表示部６８の表示ランプを点滅させる期間に対応する。本実施の形態の場合、この「閾値」は、ステップＳ１０８において表示部６８の表示ランプを点滅させる期間に等しい。また、本実施の形態において、この期間の末尾を「第１の時刻」と称する。第２の期間は、第１の時刻の後であって防犯システムが一時的に在宅モードに変化するよう予め定められた期間が経過した時から、解除スイッチ５２が押されたことを表わす信号を無線通信部３０が受信した時までの期間である。なお、本実施の形態において、この期間が開始される時を「第２の時刻」と称する。
【００４０】
ステップＳ３００にて、センサ１４は、物理量の変化を検出する。センサ１４は、その変化を表わす信号を送信機１２のインターフェイス６０に出力する。インターフェイス６０は、信号の形式を変換した上で、その信号を制御部６４に出力する。送信機１２の無線通信部６６は、制御部６４の制御により、その信号を防犯装置１０へ送信する。本実施の形態の場合、その信号は、信号を出力したセンサ１４を表わす情報を含むので、その信号に基づいてどの玄関あるいは窓に変化があったのか特定することは可能である。防犯装置１０の無線通信部３０は、その信号を受信すると、信号の形式を変換した後、その信号をシステム制御部４４に出力する。防犯装置のシステム制御部４４は、その信号が出力されると、玄関などが開いたことを表わすという要件がその信号が表わす情報によって満たされるか否かを判断する。その要件がその情報によって満たされると判断した場合（ステップＳ３００にてＹＥＳ）、処理はステップＳ３０２へと移される。もしそうでないと（ステップＳ３００にてＮＯ）、処理はステップＳ３００へと戻される。
【００４１】
ステップＳ３０２にて、防犯装置１０のリアルタイムクロック３６は、システム制御部４４の制御に従い、ステップＳ３００にて無線通信部３０が信号を受信した時からの経過時間を計測し始める。あわせて、システム制御部４４は、玄関あるいは窓が開いたことを表わす情報を記憶部４６に記憶させる。
【００４２】
ステップＳ３０４にて、防犯装置１０のシステム制御部４４は、所定時間が経過したか否かを判断する。本実施の形態の場合、開かれたものが玄関の場合、この「所定時間」はユーザによって予め設定され、かつ記憶部４６に記憶された時間である。開かれたものが窓の場合、この「所定時間」は「０」である。所定時間が経過したと判断した場合（ステップＳ３０４にてＹＥＳ）、処理はステップＳ３０６へと移される。もしそうでないと（ステップＳ３０４にてＮＯ）、処理はステップＳ３１２へと移される。
【００４３】
ステップＳ３０６にて、防犯装置１０のシステム制御部４４は、警報音を発するようにスピーカ４２を制御する。これにより、侵入があったことを表わす情報が出力されたこととなる。
【００４４】
ステップＳ３０８にて、防犯装置１０のインターネット通信部３２は、システム制御部４４の制御により、通信端末２６へ宛てて、侵入があったことを表わす文面のメールを送信する。このメールは、通信網２０を介してＩＳＰサーバ２２にいったん送信される。ＩＳＰサーバ２２は、インターネット網２４を介してこのメールを通信端末２６に送信する。これによっても、侵入があったことを表わす情報が出力されたこととなる。外部機器１８を作動させるように記憶部４６に記憶されたデータが設定されていれば、無線通信部３０は、システム制御部４４の制御により、仲介装置１６へ制御信号を送信する。仲介装置１６の無線通信部７６は、この制御信号を受信すると、信号の形式を変換した後にこの信号を制御部７２に出力する。制御部７２は、接続部７０に、外部機器１８を制御するための制御信号を出力させる。これにより、外部機器１８は、その制御信号の内容にしたがって動作する。
【００４５】
ステップＳ３１０にて、防犯装置１０のインターネット通信部３２は、ＩＳＰサーバ２２などを介して警報音を停止させるためのメールを通信端末２６から受信すると、そのメールを受信したことを表わす信号をシステム制御部４４に出力する。その信号が出力されると、システム制御部４４は、警報音を停止するように、スピーカ４２を制御する。
【００４６】
ステップＳ３１２にて、送信機１２の制御部６４は、監視スイッチ５０と解除スイッチ５２とに対する操作を有効にするようにディップスイッチ５４が設定され、かつ解除スイッチ５２が操作されたか否かを判断する。監視スイッチ５０と解除スイッチ５２とに対する操作を有効にするようにディップスイッチ５４が設定され、かつ解除スイッチ５２が操作されたと判断した場合（ステップＳ３１２にてＹＥＳ）、処理はステップＳ３１４へと移される。もしそうでないと（ステップＳ３１２にてＮＯ）、処理はステップＳ３０２へと移される。
【００４７】
ステップＳ３１４にて、送信機１２の無線通信部６６は、制御部６４の制御により、防犯装置１０に解除スイッチ５２が操作されたことを表わす信号を送信する。
【００４８】
ステップＳ３１６にて、防犯装置１０の無線通信部３０は、システム制御部４４の制御により、防犯システムが在宅モードになったことを表わす信号を送信機１２の無線通信部６６に送信する。無線通信部６６によりこの信号が受信されると、送信機１２の制御部６４は、表示ランプを点灯状態から消灯状態に切換えるよう表示部６８を制御する。これにより、在宅モードになったことを表わす情報が、表示部６８によって出力されたことになる。防犯システムが在宅モードになったことをユーザは知る。
【００４９】
以上の構造およびフローチャートに基づく、防犯システムの動作について説明する。
［ユーザが忘れ物をした場合］
外出の際、ユーザは監視スイッチ５０が押す。送信機１２の制御部６４は、監視スイッチ５０と解除スイッチ５２とに対する操作を有効にするようにディップスイッチ５４が設定され、かつ監視スイッチ５０が押されたか否かを判断する（ステップＳ１００）。この場合、監視スイッチ５０と解除スイッチ５２とに対する操作を有効にするようにディップスイッチ５４が設定され、かつ監視スイッチ５０が押されているので（ステップＳ１００にてＹＥＳ）、送信機１２の制御部６４は、表示部６８の表示ランプが消灯しているか否かを判断する（ステップＳ１０２）。この場合、表示ランプが消灯しているとすると（ステップＳ１０２にてＹＥＳ）、無線通信部６６は、監視スイッチ５０が押されたことを表わす信号を送信する（ステップＳ１０４）。
【００５０】
信号が送信されると、防犯装置１０のシステム制御部４４は、玄関や窓がすべて閉じているか否かを判断する（ステップＳ１０６）。この場合、ある窓が開いていたとすると（ステップＳ１０６にてＮＯ）、表示部６８の表示ランプが点滅しないので、防犯システムが監視モードになっていないことをユーザは知る。
【００５１】
窓が閉じられた後、ユーザが監視スイッチ５０を押すと、ステップＳ１００からステップ１０４までの処理を経て、システム制御部４４は、玄関や窓がすべて閉じているか否かを再び判断する（ステップＳ１０６）。この場合、玄関や窓がすべて閉じているので（ステップＳ１０６にてＹＥＳ）、無線通信部３０は、送信機１２へ監視モードになったことを表わす信号を送信する。送信機１２の無線通信部６６がその信号を受信すると、送信機１２の制御部６４は、表示部６８の表示ランプを点滅させる。これにより、防犯システムが監視モードになったことをユーザは知る（ステップＳ１０８）。防犯システムが監視モードになったことを確認した上で、ユーザは外出する。
【００５２】
その後、ユーザは忘れ物に気付いたとする。ユーザは自宅に戻り、監視スイッチ５０を操作する。ステップＳ１００の処理を経て、送信機１２の制御部６４は、表示部６８の表示ランプが消灯しているか否かを判断する（ステップＳ１０２）。この場合、表示ランプは点灯しているはずなので（ステップＳ１０２にてＮＯ）、送信機１２の無線通信部６６は、監視スイッチ５０が押されたことを防犯装置１０に送信する（ステップＳ１１０）。その後、防犯装置１０の無線通信部３０は、防犯システムが監視モードから在宅モードに一時的に変化したことを表わす信号を送信機１２に送信する。その信号が無線通信部６６によって受信されると、送信機１２の制御部６４は、所定の期間、表示部６８の表示ランプを点滅させる。表示ランプが点滅することにより、防犯システムが監視モードから在宅モードに変化したことユーザは知る。この間、扉や窓が開閉されても防犯装置１０は警報を発しない。ユーザは忘れ物を取ることができる。上述した「所定の期間」が経過すると、制御部６４は、表示部６８の表示ランプの状態を点滅状態から点灯状態に切換える。これと同時に、防犯装置１０は玄関の扉や窓の開閉の監視を再開する（ステップＳ１１２）。ユーザは再び外出する。
【００５３】
なお、ユーザが自宅に戻った際、上述した処理と並行して図５に示した処理が実施されている。ユーザが自宅に戻り、かつ監視スイッチ５０を操作すると、本実施の形態に係る防犯システムは、図５に示した処理を強制的に終了する。上述した「所定の期間」が経過した時点で、本実施の形態に係る防犯システムは、図５に示した処理を、ステップＳ３００から開始する。
【００５４】
ユーザは、帰宅すると、玄関の扉を開け、解除スイッチ５２を操作する。送信機１２の制御部６４は、監視スイッチ５０と解除スイッチ５２とに対する操作を有効にするようにディップスイッチ５４が設定され、かつ解除スイッチ５２が操作されたか否かを判断する（ステップＳ２００）。この場合、監視スイッチ５０と解除スイッチ５２とに対する操作を有効にするようにディップスイッチ５４が設定され、かつ解除スイッチ５２が操作されたと判断するので（ステップＳ２００にてＹＥＳ）、制御部６４は、表示部６８の表示ランプが点灯しているか否かを判断する（ステップＳ２０２）。この場合、表示ランプが点灯していると判断するので（ステップＳ２０２にてＹＥＳ）、無線通信部６６は、制御部６４の制御に従い、解除スイッチ５２が押されたことを表わす信号を防犯装置１０の無線通信部３０に送信する。無線通信部３０は、システム制御部４４の制御に従い、送信機１２へ在宅モードになったことを表わす信号を送信する（ステップＳ２０４）。その信号が無線通信部６６によって受信されると、送信機１２の制御部６４は、表示ランプを消灯するよう表示部６８を制御する（ステップＳ２０６）。これにより、ユーザは在宅モードになったことを知る。
【００５５】
［ユーザが外出中に空き巣が侵入した場合］
空き巣が窓を開けると、窓が開いたことをその窓に設置されたセンサ１４が検出する。センサ１４は、そのことを表わす信号を送信機１２のインターフェイス６０に出力する。インターフェイス６０は、信号の形式を変換した上で、その信号を制御部６４に出力する無線通信部６６は、制御部６４の制御により、その信号を防犯装置１０へ送信する。防犯装置１０の無線通信部３０は、その信号を受信すると、信号の形式を変換した後、その信号をシステム制御部４４に出力する。その信号が出力されると、システム制御部４４は、玄関などが開いたことを表わすという要件がその信号が表わす情報によって満たされるか否かを判断する（ステップＳ３００）。この場合、その要件が満たされるので（ステップＳ３００にてＹＥＳ）、リアルタイムクロック３６は、経過時間を計測し始める。あわせて、システム制御部４４は、窓が開いたことを表わす情報を記憶部４６に記憶させる（ステップＳ３０２）。
【００５６】
防犯装置１０のシステム制御部４４は、所定時間が経過したか否かを判断する（ステップＳ３０４）。この場合、「所定時間」は「０」である。「所定時間」が「０」なので、システム制御部４４は、所定時間が経過したと判断する（ステップＳ３０４にてＹＥＳ）。所定時間が経過したと判断されるので、防犯装置１０のシステム制御部４４は、警報音を発するようにスピーカ４２を制御する（ステップＳ３０６）。
【００５７】
スピーカ４２が制御されると、防犯装置１０のインターネット通信部３２は、システム制御部４４の制御により、通信端末２６へ宛てて、侵入があったことを表わす文面のメールを送信する。本実施の形態の場合、外部機器１８である照明器具および回転灯を作動させるように、記憶部４６に記憶されたデータが設定されているとする。これにより、無線通信部３０は、仲介装置１６へ制御信号を送信する。仲介装置１６の接続部７０は、照明器具および回転灯を制御するための制御信号を出力する。制御信号が出力されると、照明器具が点灯することで空き巣に対し心理的な動揺を与えると共に、回転灯が点灯して家の外部に対し空き巣の侵入を報知する（ステップＳ３０８）。
【００５８】
メールが送信され、照明器具および回転灯が作動した後、警報音を停止させるためのメールの受信を待って、システム制御部４４は、警報音を停止させる（ステップＳ３１０）。
【００５９】
以上のようにして、本実施の形態にかかる防犯システムは、送信機に設けられたスイッチをユーザが操作することによって、在宅モードから監視モードへモードを変更できる。その送信機は、扉や窓それぞれに対応するように設けられている。これにより、外出時のユーザは、あわてて屋外へ出なくともよい。
【００６０】
また、本実施の形態にかかる防犯システムは、在宅モードから監視モードへの変更だけでなく、監視モードから在宅モードへの変更も送信機に設けられたスイッチによって実施できる。これにより、帰宅直後のユーザは、あわてて防犯装置が設置された場所へ急がなくてもよい。
【００６１】
また、本実施の形態にかかる防犯システムは、監視モードから在宅モードへの一時的な切り替えが送信機に設けられたスイッチによって可能なので、外出の際、夜間に来客があった際、あるいは一時的に窓を開ける際のモード変更に関する煩わしさが少なくなる。
【００６２】
また、本実施の形態にかかる防犯システムは、表示部によってモードを表示するので、モードが変更されていないにも関わらずモードが変更されたとユーザが誤解する可能性が減少する。
【００６３】
また、本実施の形態にかかる防犯システムは、送信機に設けられたスイッチをユーザが操作することによりモードを変更できるので、扉や窓の開閉が煩わしくない。たとえば、夜間その他ユーザが在宅中に防犯システムが監視モードになっている際、ユーザが窓や玄関を一時的に開けたいと考えた場合、そのユーザは近くの送信機の監視スイッチを操作すればよい。
【００６４】
また、本実施の形態にかかる防犯システムは、送信機が、ディップスイッチの内容に基づいて、監視スイッチおよび解除スイッチの操作を有効にしたり無効にしたりできる。これにより、窓や玄関の傍でモードを変更するか否かをユーザが自由に決定できる。
【００６５】
なお、本実施の形態の第１の変形例において、防犯システムは、ステップＳ１０６において、図２に示した窓の開閉状態を表わすデータがすべて閉じていることを表わすデータとなっていない場合、表示ランプの色を変えたり、図示しないブザーを鳴らしたりした後、ステップＳ１００の処理に移ってもよい。
【００６６】
また、本実施の形態の第２の変形例において、ステップＳ１０８における一旦表示ランプが点滅した後点灯するという制御は、すべての送信機１２において実施されてもよい。
【００６７】
また、本実施の形態の第３の変形例において、防犯装置１０は、監視スイッチ５０や解除スイッチ５２を含んでもよい。この場合、防犯装置１０は、自らが含む監視スイッチ５０や解除スイッチ５２に対する操作に応じて、送信機１２に取付けられている監視スイッチ５０や解除スイッチ５２が操作された場合と同様の制御を実施できる。
【００６８】
また、本実施の形態の第４の変形例において、ステップＳ１０６の処理が実施された時点で玄関または窓が開いている場合、システム制御部４４は、スピーカ４２に警報音を出力させてもよい。
【００６９】
また、本実施の形態の第５の変形例において、監視スイッチ５０と解除スイッチ５２とは、ペン先などの細い棒で操作するスイッチであってもよい。
【００７０】
また、本実施の形態の第６の変形例において、ステップＳ１１０の処理とステップＳ１１２の処理とは実施されなくてもよい。この場合、防犯装置１０のシステム制御部４４は、次に述べる場合に、侵入があったことを表わす情報を出力するように、インターネット通信部３２やスピーカ４２を制御することとなる。その場合とは、センサ１４から送信され無線通信部３０が受信した情報が、防犯システムが監視モードになっている期間に、次に述べる要件を満たす場合である。その要件とは、玄関などが開いたことを表わすという要件である。この場合、防犯システムが監視モードになっている期間は、次に述べる時から、解除スイッチ５２が押されたことを表わす信号を無線通信部３０が受信した時までの期間である。その時とは、監視スイッチ５０が押されたことを表わす信号を防犯装置１０の無線通信部３０が受信し、その後に経過した時間が閾値を越えた時である。
【００７１】
今回開示された実施の形態はすべての点で例示であって制限的なものではないと考えられるべきである。本発明の範囲は上記した説明ではなくて持許請求の範囲によって示され、特許請求の範囲と均等の意味および範囲内でのすべての変更が含まれることが意図される。
【図面の簡単な説明】
【００７２】
【図１】本発明の実施の形態に係る防犯システムの構成を表わす図である。
【図２】本発明の実施の形態に係る防犯システムが配置された家屋を表わす図である。
【図３】本発明の実施の形態に係る監視モードの設定処理の制御の手順を示すフローチャートである。
【図４】本発明の実施の形態に係る監視モードの解除処理の制御の手順を示すフローチャートである。
【図５】本発明の実施の形態に係る侵入に対する対策処理の制御の手順を示すフローチャートである。
【符号の説明】
【００７３】
１０  防犯装置、１２  送信機、１４  センサ、１６  仲介装置、１８  外部機器、２０  通信網、２２  ＩＳＰサーバ、２４  インターネット網、２６  通信端末、３０，６６，７６  無線通信部、３２  インターネット通信部、３４，６０，８２  インターフェイス、３６  リアルタイムクロック、３８，６２  設定部、４２  スピーカ、４４  システム制御部、４６，７４  記憶部、５０  監視スイッチ、５２  解除スイッチ、５４  ディップスイッチ、６４，７２  制御部、６８  表示部、７０  接続部、８０  検知部。
【図１】
2008009902.tif 000003
【図２】
2008009902.tif 000004
【図３】
2008009902.tif 000005
【図４】
2008009902.tif 000006
【図５】
2008009902.tif 000007